(57)【特許請求の範囲】
【請求項１】
光ケーブルＡの心線ａとドロップケーブルｄとの接続部、光ケーブルＡの心線ａとドロップ用トレイ３につながるパッチ心線ｃとの接続部を収納する接続用トレイ１と、
スプリッタモジュール部８を内蔵し、スプリッタモジュール部８と光ケーブルＡの心線ａとの接続部、スプリッタモジュール部８とドロップケーブルｄとの接続部、スプリッタモジュール部８とドロップ用トレイ３につながるパッチ心線ｃとの接続部を収納するスプリッタ用トレイ２と、
前記接続用トレイ１またはスプリッタ用トレイ２につながるパッチ心線ｃとＤＳケーブルＢとの接続部を収納するドロップ用トレイ３とを備え、
これら接続用トレイ１、スプリッタ用トレイ２、ドロップ用トレイ３をそれぞれトレイ固定ベース５に複数重ねた状態で変位自在にクロージャ本体１０内に配備した光ケーブル接続用クロージャであって、
前記接続用トレイ１は、接続部となるコネクタ接続を可能にしたアダプタ６と、該アダプタ６を複数設けたアダプタ収納部７と、心線余長を収納する心線余長収納部１８を備えた構成の接続用トレイ１とし、
また前記スプリッタ用トレイ２は、コネクタ接続部２０においてコネクタ接続を可能にしたアダプタ９を複数設けた構成のスプリッタモジュール部８が着脱自在に配備された構成のスプリッタ用トレイ２とし、
さらに前記ドロップ用トレイ３は、コネクタ接続を可能にしたコネクタ接続部３４と、該コネクタ接続部３４を複数収納する接続部収納部と、心線余長を収納する心線余長収納部３０とを備えた構成のドロップ用トレイ３とすると共に、
前記接続用トレイ１、スプリッタ用トレイ２、ドロップ用トレイ３に導出入される前記ケーブルＡの心線ａの先端部、ドロップケーブルｄの先端部、パッチ心線ｃの両端部、ＤＳケーブルＢの先端部にそれぞれコネクタプラグ２４を接続し、これらケーブルＡ、ドロップケーブルｄ、パッチ心線ｃ、ＤＳケーブルＢによる配線のすべてをコネクタ接続によって行うようにしたことを特徴とする光ケーブル接続用クロージャ。
【請求項２】
請求項１に記載の光ケーブル接続用クロージャにおいて、
前記接続用トレイ１が、心線の長手方向に複数カ所のアダプタ取付部７を備えてアダプタ６を選定配備するものであって、コネクタ脱着時に心線の引っ張りや屈曲の発生を抑制するストッパ構造のガイド１５を備えたことを特徴とする光ケーブル接続用クロージャ。
【請求項３】
請求項１に記載の光ケーブル接続用クロージャにおいて、
前記スプリッタ用トレイ２が、複数のコネクタ９を備えたスプリッタモジュール部８をトレイ内に取付部２１によって着脱自在に設け、さらにコネクタ脱着時に心線の引っ張りや屈曲の発生を抑制するストッパ構造のガイド２１１  を備えたことを特徴とする光ケーブル接続用クロージャ。
【請求項４】
請求項１に記載の光ケーブル接続用クロージャにおいて、
前記ドロップ用トレイ３が、ヒンジ部によって回動自在で、着脱自在にトレイ固定ベース５に設け、各心線の心線余長を収納する心線余長収納部３０を形成し、さらにコネクタ脱着時に心線の引っ張りや屈曲の発生を抑制するストッパ構造のガイド３１を備えたことを特徴とする光ケーブル接続用クロージャ。 
【請求項５】
請求項１，２，３または４に記載の光ケーブル接続用クロージャにおいて、
クロージャ本体１０がトレイを収納するケース本体と蓋とを構成する一対のスリーブから構成され、蓋となる側のスリーブはヒンジ部１０１  を介してケース本体となる側のスリーブに対して拡開自在に連結されていると共に、蓋となる側のスリーブの開放状態を調節できるスリーブ開放保持具２５を配備したことを特徴とする光ケーブル接続用クロージャ。
【請求項６】
請求項１，２，３，４または５に記載の光ケーブル接続用クロージャにおいて、
前記クロージャ本体１０に備えられる端面板１１に各種ケーブルを挿入するスリット３６と薄膜からなるシール片３７とのある心線挿通路を複数設けたケーブルシールアダプタ３５を着脱自在に装着したことを特徴とする光ケーブル接続用クロージャ。
【発明の詳細な説明】
【技術分野】
【０００１】
本発明は、通信ケーブル、特に光ファイバ心線を有する光ファイバケーブル（以下光ケーブル）の架空区間のアクセス区間において、固定配線区間の配線点やケーブル接続点における外被接続並びに架空光ケーブルと、ドロップ光ケーブルの接続のために用いられ、光ケーブルの接続部を保護して、心線余長を収納し、光ケーブル空の引き落し配線および分岐接続配線の際に、他の心線に影響を与えないで単心運用でき、空いている心線は、その後のユーザーの加入など必要な単心線として使用し心線使用効率を高め、需要変動にも容易に対応でき、しかも接続配線作業時の取り扱いを容易とし、その作業性を大幅に向上できる光ケーブル接続用クロージャに関するものである。
【背景技術】
【０００２】
従来、光ケーブルの分岐、引込、接続などを行う場合、スリーブからなるクロージャ内においてケーブル心線相互を接続すると共に、該接続部と、ケーブル心線の余長分とを収納するための心線接続余長収納トレイを備えたクロージャが知られている。
このクロージャは、心線幹線用光ケーブルの主ケーブルから引き出された光ケーブル心線同士或いは分岐用光ケーブルから引き出された心線とを接続する接続部が収納され、さらに接続された心線の余長部分を巻回して保護収納する心線余長収納部とを備えたものとして接続機能専用クロージャ或いはドロップ機能専用クロージャとして用いられている。（特開２００１−４２１５５号）
【０００３】
特許文献１の光ケーブル接続用クロージャは、心線用トレイがテープ心線から分岐した７心ごとに接続部と心線余長とを別個に一括収納できるドロップ用トレイに構成され、該ドロップ用トレイをクロージャ内に設けた取付部に備えたものが開示されている。
【特許文献１】特開２００１−４２１５５号公報
【発明の開示】
【発明が解決しようとする課題】
【０００４】
ところが、光ケーブルを用いた通信網では、光アクセス網の最適な配線形態とすることや、接続配線の作業性の良いこと、さらには光アクセスサービスを迅速かつ安価に提供することが要請されているのに、単心運用作業が難しく光アクセス系設備の効率的な使用や経済的な使用に十分満足するものがなく、特に、ケーブルの高密度、多心化或いは伝送高速度化が進むにつれて  容量が不足なりがちで接続分岐に伴う作業や配線整理もやりにくいといった問題が生じている。
また、光ケーブルの分岐作業においては、ドロップ光ケーブルを引き落すためには、使用不能の心線が生じて不経済となるし、心線を再度本線に戻すことも出来ないなど取り扱いも不便になり、アクセス系設備の効率的かつ経済的な使用ができないなど問題があった。
【０００５】
本発明は、これら従来の事情に鑑みてなされたものであり、高屈曲補強型単心光ケーブルを使用し、光ケーブルからの引き落し配線および分岐接続配線の際に、他の心線に影響を与えないで単心運用でき、空いている心線は、その後のユーザーの加入などの必要な単心線として用いて心線使用効率を高め、心線接続・収納はモジュール化を含めコネクタ接続可能の構成として接続作業や心線収納作業、さらには接続状況の点検補修などの保守作業を含め施工性を大幅に向上させるほか、単心に分離した心線を保護することができて、光ケーブルの有効利用が可能で、心線の下部延ばしや、架空ループ配線にも対応でき、しかも一旦分岐した心線を再度本線に戻すこともできるなど光アクセスサービスを迅速で安価に提供できるし、引き落し配線および分岐接続配線とそのコネクタ接続部とを収納するための機能が異なるトレイを回動自在で着脱自在にトレイ固定ベースに複数も設けることで、機能要求に対して必要となる各トレイを簡単に増設、撤去でき取扱い簡便な架空または地上載置用の光ケーブル接続用クロージャとすることを目的とするものである。
【課題を解決するための手段】
【０００６】
上述の課題を解決するために、この発明では、光ケーブルの心線とドロップケーブルとの接続部、光ケーブルの心線とドロップ用トレイにつながるパッチ心線との接続部を収納する接続用トレイと、スプリッタモジュール部を内蔵し、スプリッタモジュール部と光ケーブルの心線との接続部、スプリッタモジュール部とドロップケーブルとの接続部、スプリッタモジュール部とドロップ用トレイにつながるパッチ心線との接続部を収納するスプリッタ用トレイと、前記接続用トレイまたはスプリッタ用トレイにつながるパッチ心線とＤＳケーブルとの接続部を収納するドロップ用トレイとを備え、これら接続用トレイ、スプリッタ用トレイ、ドロップ用トレイをそれぞれトレイ固定ベースに複数重ねた状態で変位自在にクロージャ本体内に配備した光ケーブル接続用クロージャであって、前記接続用トレイは、接続部となるコネクタ接続を可能にしたアダプタと、該アダプタを複数設けたアダプタ収納部と、心線余長を収納する心線余長収納部を備えた構成の接続用トレイとし、また前記スプリッタ用トレイは、コネクタ接続部においてコネクタ接続を可能にしたアダプタ複数設けた構成のスプリッタモジュール部が着脱自在に配備された構成のスプリッタ用トレイとし、さらに前記ドロップ用トレイは、コネクタ接続を可能にしたコネクタ接続部と、該コネクタ接続部を複数収納する接続部収納部と、心線余長を収納する心線余長収納部とを備えた構成のドロップ用トレイとすると共に、前記接続用トレイ、スプリッタ用トレイ、ドロップ用トレイに導出入される前記ケーブルの心線の先端部、ドロップケーブルの先端部、パッチ心線の両端部、ＤＳケーブルの先端部にそれぞれコネクタプラグを接続し、これら光ケーブル、ドロップケーブル、パッチ心線、ＤＳケーブルによる配線のすべてをコネクタ接続によって行うようにしたものである。
【０００７】
この発明は、高屈曲補強型単心光ケーブルを使用し、光ケーブルの心線接続、収納がモジュール化した全コネクタ化により接続作業や心線収納作業さらには、接続状況の点検補修などの保守作業を含め施工性を著しく簡便化させたものであって、引き落し配線および分岐接続配線とそのコネクタ接続部とを収納するための機能が異なる接続用トレイ、ドロップ用トレイ、スプリッタ用トレイをヒンジ部によって回動自在で、かつ着脱自在にトレイ固定ベースに複数配備して機能要求に対して必要となる各トレイを簡便に増設、撤去できるようにした。
【０００８】
また、この光ケーブル接続用クロージャにおいては、キャリアチェンジなどにより他機能のトレイに切替え必要とした場合、アダブタによるコネクタ接続およびケーブルシールアダプタを用いることにより、従来の融着接続およびメカニカルスプライス接続時に生じた心線の切り短じみに伴う心線余長処理作業をなくし作業の簡便化を図ることができる。
【０００９】
さらに、本発明の光ケーブル接続用クロージャの特徴は、前記接続用トレイ、スプリッタ用トレイ及びドロップ用トレイが、前記フレームに回動自在に設けたトレイ受け部のあるトレイ固定収納板に階段状にずらせた多重状態下で傾斜保持するように配備されているものであって、該ドロップ用トレイを係止片と係止受部とからなる係止部によってトレイ固定収納板に固定維持できる構成とした。
【００１０】
さらに、本発明では前記接続用トレイが、心線の長手方向に複数カ所のアダプタ取付部を備えるものであって、コネクタ成端失敗を考慮してコネクタ接続部を任意の位置に固定することが可能で、さらにコネクタ脱着時に心線の引っ張りや屈曲の発生を抑制するストッパ構造のガイドを形成し、ＳＳサービス（専用線／Ｂフレッツ  ベーシック）を要望する加入者へ引き落しするため、光ケーブルの心線とドロップケーブルまたはドロップ用トレイにつながるパッチ心線とのコネクタ接続部および心線余長を収納保護する。またドロップ把持具固定用の把持具ベースをトレイ両端部に設けて、左右いずれの側からでもドロップケーブルを引き出せるようにし、しかも心線着脱時に他心線への影響をなくすためにトレイの左右の心線導入口を心線毎の個別通路構造として心線の引っ張りや屈曲の発生を抑制するストッパ構造のガイドを備えて安全な構成としてある。
【００１１】
また本発明では、光ケーブル接続用クロージャに備えられる前記スプリッタ用トレイ（ＳＰトレイ）が、ＰＯＮサービスを要望する加入者へ引き落すために単心ケーブルとスプリッタ（ＳＰ）入力線およびスプリッタ（ＳＰ）出力線とドロップケーブルまたはドロップ用トレイにつながるパッチ心線とのコネクタ接続部および心線余長ならびにスプリッタモジュール部を収納保護するものであって、複数のコネクタを備えたスプリッタモジュール部をトレイ内に取付部によって着脱自在に設けてあり、またドロップ把持具固定用の把持具ベースをトレイ両端部に設けて、左右いずれの側からでもドロップケーブルを引き出せるようにし、しかもＳＰ入力線のコネクタ接続部が左右に振り分けて固定できる構成とすると共に、心線着脱時に他心線への影響をなくすためにトレイの左右の心線導入口を心線毎の個別通路構造として心線の引っ張りや屈曲の発生を抑制するストッパ構造のガイドを形成して安全な構成とした。
【００１２】
本発明の光ケーブル接続用クロージャでは、前記ドロップ用トレイ（ＤＳトレイ）が、前記接続用トレイ（ＳＳトレイ）およびスプリッタ用トレイ（ＳＰトレイ）からの出側心線であるパッチ心線とＤＳケーブル心線とのコネクタ接続部および心線余長を収納保護するものであって、加入者対応によりその都度、増設可能とするコネクタ固定構造でＤＳ心線側のコネクタ成端失敗余長吸収構造で、左右コネクタ方向への心線振り分けできるようにし、ＤＳ心線側のコネクタを引き抜く際に心線余長に影響を与えないようにストッパ構造のガイドを形成して安全な構成としてある。そして該ドロップ用トレイが、ヒンジ部によって回動自在で、着脱自在にトレイ固定ベースに設け、各心線の接続回数により生ずる心線余長差を吸収する心線余長収納部を形成し、さらにコネクタ脱着時に心線の引っ張りや屈曲の発生を抑制するストッパ構造のガイドを設けたことを特徴とする。
【００１４】
本発明では、作業時にヒンジ部を介して拡開自在に連結した一対のスリーブからなる前記クロージャ本体にスリーブ開放保持具を配備してスリーブを外すことなく開拡するスリーブの開放状態を調節できる作業側の開放状態を維持し開き具合をも連続的に可変調節可能のバンドタイプのスリーブ開放保持具を付設し、また、前記クロージャ本体に備えられる端面板に各種ケーブルを挿入するケーブル導入口にスリットと、薄膜からなるシール片とのある心線挿通路を複数設けたケーブルアダプタを着脱自在に装着してクロージャ本体に収容したケーブル際の防水機能のある端面シールとして用い、ドロップケーブルおよびＤＳケーブルの防水を図ることを特徴としている。
【００１５】
本発明の光ケーブル接続用クロージャは、光ケーブル心線の接続部並びに接続余長部分を保護収納する機能の異なる心線用トレイをトレイ受け部のあるトレイ固定収納板を介してトレイ固定ベースに階段状にずらせた多重状態下で傾斜或いは水平に保持するように配備されているものであって、各トレイを係止片と係止受部とからなる係止部によって固定維持できる構成とし、またヒンジ部によって回動自在で、かつ着脱自在にトレイ取付部に複数設けると共に、クロジャー本体内に設けたフレームに固定して、前記ドロップ用トレイを複数重ねた状態で変位可能に配備しているので、各トレイを位置変換して配線処理できるので、光需要に際して任意のクロージャにて本線から必要な単心線のみを引き落としたり、本線に戻したりすることが容易にできる。
すなわち、多心光ファイバテープ心線からなる光ケーブルのテープ心線を単心線に分離して１心線のみ又はそれ以上を選んで引き落しケーブルに接続して、他は引き通し光ファイバ単心線として下部に送り込めるように保有しておくことが可能となる。また、接続作業に必要な余長心線は、任意のドロップ用トレイを開いて、或いは取り出したりして接続部と共に収納しておく。  そして、空いている心線はその後のユーザーの加入など必要な単心線として使用することができ、そのほか他の心線の接続作業や接続状況の点検、補修、確認、調整など作業を統合してきわめて容易に行うことができる。
【００１６】
また、前記ドロップ用トレイは、多段で変位可能に斜設配備していて、接続単位で複層化したもので、心線接続部は固定しないし、心線余長も曲率半径を確保した上で取り回し収納できるので、心線余長の吸収に自由度を持たせて納められ、伝送特性に悪影響を及ぼすことがない形態で用いられる。
【発明の効果】
【００１７】
本発明は、クロージャ本体内に配備される接続用トレイは接続部となるコネクタ接続を可能にしたアダプタと、該アダプタを複数設けたアダプタ収納部と、心線余長を収納する心線余長収納部とを備えた構成の接続用トレイとし、また前記スプリッタ用トレイはコネクタ接続部においてコネクタ接続を可能にしたアダプタを複数設けた構成のスプリッタモジュール部が着脱自在に配備された構成のスプリッタ用トレイし、さらに前記ドロップ用トレイはコネクタ接続を可能にしたコネクタ接続部と、該コネクタ接続部を複数収納する接続部収納部と、心線余長を収納する心線余長収納部とを備えた構成のドロップ用トレイとすると共に、前記接続用トレイのアダプタと、前記ドロップ用トレイのコネクタ接続部とに連結するコネクタプラグを端末に備えたパッチ心線によって前記接続用トレイと前記ドロップ用トレイとを接続し、また前記スプリッタモジュール部にあるアダプタと前記ドロップ用トレイのコネクタ接続部とに連結するコネクタプラグを端末に備えたパッチ心線によってスプリッタ用トレイとドロップ用トレイとを接続して各トレイをコネクタ接続できるようにしたことにより、光ケーブルからの引き落し配線および分岐接続配線の際に、他の心線に影響を与えないで単心運用でき、空いている心線は、その後のユーザーの加入などの必要な単心線として用いて心線使用効率を高め、心線接続・収納はモジュール化を含めコネクタ接続可能の構成として接続作業や心線収納作業、さらには接続状況の点検補修などの保守作業を含め施工性を大幅に向上させるほか、単心に分離した心線を保護することができて、光ケーブルの有効利用が可能で、心線の下部延ばしや、架空ループ配線にも対応でき、しかも一旦分岐した心線を再度本線に戻すこともできるなど光アクセスサービスを迅速で安価に提供できるし、引き落し配線および分岐接続配線とそのコネクタ接続部とを収納するための機能が異なるトレイを回動自在で着脱自在にトレイ固定ベースに複数も設けることで機能要求に対して必要となる各トレイを簡単に増設、撤去でき心線接続作業が著しく簡易、良好でケーブルの切り替え配線処理も楽にできるので、取扱い簡便なクロージャとすることができる。
【００１８】
本発明の光ケーブル接続用クロージャでは、各トレイを切り替え接続するパッチ心線が、前記アダプタに連接するコネクタプラグを端末に備えられるものであって、各トレイをコネクタ接続を可能にした構成としたことで、高屈曲補強型単心光ケーブルを使用でき、光ケーブルからの引き落し配線および分岐接続配線の際に、他の心線に影響を与えないで単心運用でき、空いている心線は、その後のユーザーの加入などに必要な単心線として用いて心線使用効率を高め、心線接続・収納はモジュール化を含めコネクタ接続可能の構成として接続作業や心線収納作業、さらには接続状況の点検補修などの保守作業を含め施工性を大幅に向上させることができる。
【００１９】
また、本発明によれば、コネクタ接続を可能にした構成の接続用トレイが、心線の長手方向に複数カ所のアダプタ取付部を選定してコネクタ接続するアダプタを備えるものであって、コネクタ脱着時に心線の引っ張りや屈曲の発生を抑制するストッパ構造のガイドを備えたことで、単心分離作業時での心線が見やすく、配線作業を容易にして迅速に処理することができ、また単心線を安全に保護することができるし、心線のコネクタ成端失敗時に短くなった心線も容易に取り付けられ、心線の引き落しや切替えができるので、心線接続作業、心線収納作業の簡素化に役立ち、単心運用のための処理、収納作業に優れた機能を発揮できる。
【００２０】
さらに、コネクタ接続を可能にした構成のスプリッタ用トレイが、複数のコネクタを備えたスプリッタモジュール部をトレイ内に取付部によって着脱自在に設け、さらにコネクタ脱着時に心線の引っ張りや屈曲の発生を抑制するストッパ構造のガイドを備えたことにより、スプリッタモジュール部の取り外し、取付けでトレイと別個に開放取り扱うことができ、接続作業や各トレイの更新並びに増設作業も容易にできる形態で用いられる。
【００２１】
さらに、本発明の光ケーブル接続用クロージャでは、コネクタ接続部によってコネクタ接続を可能にした構成のドロップ用トレイが、トレイ内において心線の心線余長を収納する余長収納部があるため心線の取り回し収納できるので、伝送特性に悪影響を及ぼすこともなく、心線余長収納での高信頼性がえられるし、複数に積層されたトレイの切り替えも可能でクロージャとして安全性並びに作業性を大幅に向上することができる。
【００２２】
また本発明では、前記クロージャ本体１０をトレイを収納するためのケース本体と蓋とからなる一対のスリーブによって構成し、蓋となる側のスリーブはヒンジ部を介してケース本体となる側のスリーブに対して拡開自在に連結すると共に、蓋となる側のスリーブの開放状態を調節できるスリーブ開放保持具を配備すること、さらにはクロージャ本体に備えられる端面板に各種ケーブルを挿入するスリットと薄膜からなるシール片とのある心線挿通路を複数設けたケーブルアダプタを着脱自在に装着したことで、作業時にスリーブを外すことなく開き具合を調整できるので作業側の開放状態を最適に維持でき作業性を良好にし、さらにクロージャ本体に備えられる端面板の各種ケーブルを挿入するケーブル導入口にクロージャ本体に収納したケーブル際の防水機能のある端面シールとして、スリットと薄膜からなるシール片とのある心線挿通路を複数設けたケーブルシールアダプタを着脱自在に装着して用いドロップケーブルおよびＤＳケーブルの防水を図つて安全性を高めてある。
【発明を実施するための最良の形態】
【００２３】
本発明の実施例を図面を用いて説明すると、図１乃至図４に示すクロージャ本体１０には、主ケーブルとなる光ケーブルＡが端面板１１を経て導入、導出されケーブル把持具１２によって把持されていて、該光ケーブルＡの心線ａと接続されるドロップケーブルｄとの接続部と、心線余長とを整理する接続用トレイ１が複数配備されている。この接続用トレイ１としては、光ケーブルＡの心線ａの接続部となるアダプタ６を複数備え、該アダプタ６を収納するアダプタ取付部７と、心線余長を収納する心線余長収納部１８とを備えた構成とした接続用トレイ１を用いてあり、複数のアダプタ９のあるスプリッタモジュール部８を備えたスプリッタ用トレイ２と、心線ａとドロップケーブルｄとの接続部となるコネクタ接続部３４と、心線余長を収納する心線余長収納部３０とを備えたドロップ用トレイ３とをそれぞれトレイ固定ベース５に複数重ねた状態で、変位自在にクロージャ本体１０内に配備してあって、さらに必要に応じて、光ケーブルを個別心線に分岐して単心使用するためのＦＯ（ファンアウト）トレイ４を付設して光ケーブル接続用クロージャとしてある。
【００２４】
前記接続用トレイ１は、端末にコネクタプラグ２４のあるパッチ心線ｃやコネクタ成端されたドロップケーブルｄを接続するアダプタ６をアダプタ取付部７に複数設けてコネクタ接続を可能にした構成の接続用トレイ１としたものを１段配備し、また前記スプリッタ用トレイ２はパッチ心線ｃやコネクタ成端されたドロップケーブルｄを接続するアダプタ９を複数設けたスプリッタモジュール部８が配備されてコネクタ接続を可能にしたスプリッタ用トレイ２に構成したものを４段配備すると共に、前記ドロップ用トレイ３はパッチ心線ｃを接続するコネクタ接続部３４を複数配備してコネクタ接続を可能にしたドロップ用トレイ３に構成したものを２段配備してあり、そして各トレイがそれぞれヒンジ部によってトレイ取付部１３に回動自在に設けて複数重ねた状態で、かつクロージャ本体１０内に変位自在に斜設した構成の光ケーブル接続用クロージャとした。例えば、前記接続用トレイ１、スプリッタ用トレイ２及びドロップ用トレイ３が、前記固定ベース５に回動自在に設けたトレイ固定収納部１４に階段状にずらせた多重状態下で傾斜保持するように配備される。
【００２５】
さらに、前記接続用トレイ１としては、最大４心収納でき、心線の長手方向に複数カ所のアダブタ６のアダプタ取付部７を備えるものであって、コネクタ成端失敗を考慮してコネクタ接続部を任意の位置に固定することが可能で、さらにコネクタ脱着時に心線の引っ張りや屈曲の発生を抑制するストッパ構造のガイド１５、例えば図５に示す如くアダプタ６を嵌合しうる形態のガイド１５を形成し、ＳＳサービス（専用線Ｂフレッツ  ベーシック）を要望する加入者へ引き落しするため、光ケーブルの心線ａとドロップケーブルｄとのコネクタ接続部および心線ａとドロップ用トレイ３につながるパッチ心線ｃとのコネクタ接続部を収納すると共に、心線余長を心線余長収納部１８に保護する。またドロップ把持具固定用の把持具ベース１６をトレイ両端部に設けて、左右いずれの側からでもドロップケーブルを引き出せるようにし、しかも心線着脱時に他心線への影響をなくすためにトレイの左右の心線導入口１７を心線毎の凹凸状の個別通路構造として心線の引っ張りや屈曲の発生を抑制する安全な構成としてある。［図５］
【００２６】
また光ケーブル接続用クロージャに備えられる前記スプリッタ用トレイ２は、例えば８分岐スプリッタモジュールトレイとしてあって、ＰＯＮサービスを要望する加入者へ引き落すために、光ケーブルＡの心線ａとスプリッタモジュール入力線とのコネクタ接続部、スプリッタモジュール出力線とドロップケーブルｄとのコネクタ接続部、スプリッタモジュール出力線とドロップ用トレイ３につながるパッチ心線ｃとのコネクタ接続部を収納保護するものであって、複数のアダプタ９を備えたコネクタ接続部２０のあるスプリッタモジュール部８をトレイ内に取付部２１、例えば、爪部とリブとによって着脱自在に設けてあり、またドロップ把持具固定用の把持具ベース２２をトレイ両端部に設けて、左右いずれの側からでもドロップケーブルｄを引き出せるようにし、しかもＳＰ入力線のコネクタ接続部が左右に振り分けて固定できる構成とすると共に、心線着脱時に他心線への影響をなくすためにトレイの左右の心線導入口２３を心線毎の個別通路構造として心線の引っ張りや屈曲の発生を抑制するストッパ構造のガイド２１１  例えば図６および図７に示すようなスプリッタモジュール部８を係止する形態のガイド２１１  を形成して安全な構成とした。［図６および図７］
【００２７】
さらに、前記ドロップ用トレイ３としては、前記接続用トレイ１およびスプリッタ用トレイ２からの出側心線であるパッチ心線ｃとＤＳケーブルＢの心線との接続用のアダプタを複数設けたコネクタ接続部３４および心線余長を収納保護するものであって、加入者対応によりその都度、増設可能とするコネクタ固定構造であり、ＤＳ心線側の接続失敗余長吸収構造で、左右コネクタ方向への心線振り分けできるようにし、ＤＳ心線側のコネクタを引き抜く際に心線余長に影響を与えないようにストッパ構造のガイド３１例えば、図８に示す如くコネクタ接続部３４を嵌合しうる形態のガイド３１を備えて安全な構成とした。
そして該ドロップ用トレイ３が、ヒンジ部によって回動自在で、着脱自在にトレイ固定ベース５に設けられ、各心線の心線余長を収納する心線余長収納部３０を形成し、さらにＤＳ把持具固定用の把持具ベース３２をトレイ両端部に設けて、左右いずれの側からでもＤＳケーブルＢを引き出せるようにし、しかも接続されるパッチ心線ｃを左右に振り分けて固定できる構成とすると共に、心線着脱時に他心線への影響をなくすためにトレイの左右の心線導入口３３に心線毎の凹凸状の個別通路構造としたストッパ構造のガイドを形成して安全な構成とした。〔図８〕
【００２８】
なお、テープ心線を用いた光ケーブルルートにクロージャを設置してテープ心線を単心分離して運用するために、クロージャ中心点で切断した光ケーブルのテープ心線と割り入れ心線との接続部と、心線余長収納部を形成したＦＯ（ファンアウト）トレイ４、例えば図９に示す如き片側最大８心接続分の固定が可能で接続部ｂを保持できる接続部収納部４０と、心線余長を吸収する心線余長収納部４１を形成して、左右いずれの側からでもテープ心線並びに割り入れ心線を引き出せるようにし、ＩＮ側或いはＯＵＴ側に振り分けて固定できる構成とする。なお、心線を導出入する心線導出入部４２には心線押え片４３を着脱自在に設けて心線を的確に保持するようにしてある。
また、このＦＯトレイ４は、クロージャ中心点で切断したテープ心線と割り入れ心線との接続部と余長心線を収納保護するために用いられるが、片側最大８心接続分の固定が可能で、主ケーブル側テープ心線余長をトレイ内に収納可能とし上部、下部側にこのトレイを配備して使用可能とするための左右対称形態とし、４心テープ分の出口を個別ルートに分割することで識別容易なものとして用いられる。なお、該ＦＯトレイ４は、前記クロージヤ本体１０にスライドベースを介して摺動自在に備えられるものであって、スリーブを拡開した際にスリーブ外側に引き出して開くことができる構成としてある。
【００２９】
各トレイは、合成樹脂により一体成形またはおのおの成形された成形品であり、略長方形状の外形を有し、内面側が同一或いは相似形状に形成されたもので、各トレイをトレイ固定ベース５に載置或いはトレイ取付部１３にヒンジ部によって装着して前記クロージャ本体１０内に複数一括して固定されるものである。
【００３０】
前記接続用トレイ１及びスプリッタ用トレイ２並びに前記ドロップ用トレイ３は、前記フレームに回動自在に設けたトレイ固定収納板１４に階段状にずらせた多重状状態下で傾斜保持するように配備されているものであって、該ドロップ用トレイ３を係止片と係止受部とからなる係止部によってトレイストッパを兼ねたトレイ固定収納板１４に係脱自在に設けられている。（図２〜４）
このトレイ固定収納板１４は、階段状にずらせたトレイ受け部１４１  と、支軸（図示せず）に回動自在に枢着できるフック部とを備えて、前記トレイ固定ベース５に取り付けられ前記接続用トレイ１及びスプリッタ用トレイ２並びに前記ドロップ用トレイ３の自由端を受け止め、前記クロージャ本体１０のスリーブ内に開いたり或いは固定支持できるようになっている。
【００３１】
図１の光ケーブル接続用クロージャをテープ心線ケーブルルートに設置し、単心運用するためにクロージャ内で分離した心線ａでのクロージャ配線では、図１０に示すように前記接続用トレイ１及びスプリッタ用トレイ２並びに前記ドロップ用トレイ３が、コネクタ接続を可能の構成にするのに、端末にコネクタプラグ２４のあるパッチ心線ｃならびに心線ａ、ドロップケーブルｄ、ＤＳケーブルＢによって接続自在の構成として光ケーブルの心線接続、収納をモジュール化し、全コネクタ化したものとしてある。
【００３２】
また、前記クロージャ本体１０は、ヒンジ部１０１  で連続され二つ割りにできる一対のスリーブ（ケース本体と蓋）によった構成とし、開拡するスリーブの開放状態を調節できるスリーブ開放保持具２５、例えば、図１１の如きリング２６およびフック２７の係止部を端末に有するバンドを連結片２８を介して連継して長さを調節できるバンドから構成し、リング２６およびフック２７をスリーブ外側に設けた係止部に係支してクロージャ本体１０を締めつけ、クロージャの内部密封性を維持できるようにするのがよい。この場合、このスリーブ開放保持具２５を用いれば作業時にスリーブを外すことなく作業側の開放状態を維持して、その開き具合も連続的に調節可能で、作業側に障害となる部材をなくして取扱易い形態で用いられる。
【００３３】
更に、クロージャ本体１０の両端面に備えられる端面板１１には、ケーブルシールアダプタ３５を着脱自在に装着して用いるのがよい。該ケーブルシールアダプタ３５は、図１２に示す如く中心部に１条のＤＳケーブルＢの挿通孔があり、外周側に放射状に各種ケーブルを挿入するスリット３６と薄膜からなるシール片３７とのある心線挿通路を備えたもので、クロージャ本体１０に収納したケーブル際の防水機能のある端面シールに装着使用されるが、前記ＤＳケーブルＢの挿通孔に挿通するケーブルおよび前記スリット３６に挿通するケーブルの外周に挿通孔内面及びスリット面が密接しやすくした防水構造にしたもので、８条のドロップケーブルｄおよび１条のＤＳケーブルＢの防水機能を図る蓮構造を持っている。この場合、任意のコネクタ付きケーブルを着脱可能とした長手方向へのスリット付加構造で、長手中央を小径軸形状とし、各ケーブル導入口に薄膜からなるシール片３７を付設して該シール片３７にも延設されたスリット３６で防水構造に構成したものを用いて安全性を図るのがよい。
【００３４】
さらに、前記接続用トレイ１及びスプリッタ用トレイ２並びに前記ドロップ用トレイ３をそれぞれ回動自在に取り付けるためのトレイ取付部１３は、前記トレイ固定ベース５に固定され、各トレイに設けるヒンジ部のピン軸が嵌入される凹部状受部例えば、外方に開口するガイド溝を形成し、該ガイド溝から前記ピン軸に形成した断面狭巾部で挿脱できるようにして、トレイ取付部１３に着脱自在に配備され、ピン軸の断面幅広部で係止支持されるし、開口部において断面狭巾部の所定位置で、ピン軸が外れ或いは挿入できるようにするのがよい。
【００３５】
なお、前記接続用トレイ１や複数の前記スプリッタ用トレイ２並びに前記ドロップ用トレイ３をトレイ取付部１３に着脱自在とするには、単独または前後方向を交互に逆に段積装着した積層収納したトレイとして用いてもよい。この場合トレイ本体に突設されたピン軸に係合する係合凹部のある取付けアーム２９は、前記トレイ取付部１３の両端対称位置に備えればよく、該トレイをクロージャ本体１０の形態では前後いずれかの方向でも着脱自在に装着できる構成とすることもでき、さらにクロージャ本体１０内での各トレイをスライダ（図示せず）によって引出し移動位置させて心線接続作業が簡便にできる。
【００３６】
前記各トレイに形成した心線導出入部には、分離スリットのある心線挿入孔を設けた弾性保持部材（図示せず）を圧入嵌合して心線の支持を確実にしてあり、この弾性保持部材は心線径或いは心線数に応じた挿通孔のあるナイロンチューブや分離スリットのあるスポンジを選んで用いられる。
さらに、前記接続部収納部、スプリッタ収納部及び心線余長収納部には、必要に応じてガイドリブ及び側壁を選んで区画してもよいし、心線の浮き阻止する心線押え片或いは係止爪を一体に形成して、余長の心線や心線接続部となるコネクタを各トレイ内に確実に保持できるようにするか、また接続部収納部、或いは心線余長収納部を各トレイ整理収納し、ケーブル挿入部からファイバ心線の曲げが極少で心線収納時のねじれをも防止でき、安全かつ高密度収納で高信頼性が得られるようにすることが配慮される。
【００３７】
前記クロージャ本体１０のスリーブの両端壁嵌合部に嵌装された端面板１１を備えたクロージャ本体１０の例で説明すると、端面板１１にスペーサ（図示せず）を介して、主幹線光ケーブルＡおよび支持線が貫通されてケーブル把持具１２に支持線把持具でそれぞれ固定され、かつ、該ケーブルのテンションメンバが、ケーブル把持具１２に接続連結されている。また、主幹線たる光ケーブルＡから導出された心線ａは、接続用トレイ１、スプリッタ用トレイ２並びに前記ドロップ用トレイ３に処理されて引き落とし用のケーブルとして端面板１１から導出されてドロップケーブルｄとして配線される。（図１）
【００３８】
前記ドロップ用トレイ３においては、外被剥ぎ取り長さを確保し、積層個別収納タイプで、多心ドロップ用トレイによる高密度収納形態とするのがよく、接続失敗余長が１００ｍｍ以上を収納する方式を採用するのがよい。また、単心線およびドロップ心線と接続部及び余長心線を必要なドロップ用トレイ３に挿入収納して引き落としケーブルのドロップ分岐処理するのがよい。
スプリッタ処理を行う際には、前記スプリッタ用トレイ２とドロップ用トレイ３内において、光ケーブル心線と、スプリッタおよびスプリッタとドロップケーブルの接続ができるようにしたり、スプリッタ出線の処理までを各トレイで対応するようにすることが望ましい。
いずれにしても、前記スプリッタ用トレイ２とドロップ用トレイ３は、多段状のトレイ取付部１３に回動自在に保持され、図１に示すように二つ割りのスリーブからなる円筒状のクロージャ本体１０内に組み込まれて用いられ、該クロージャ本体１０では、前記配線処理ガイドによりテープ心線とドロップ心線との動きを分離させるのがよい。
【００３９】
前記ドロップケーブルのドロップ心線によって引き落とし分岐配線するには、両端に嵌装された端面板１１を備えたクロージャ本体１０の例で説明すると、端面板１１にスペーサを介して、主幹線の光ケーブルＡが貫通されてケーブル把持具１２で固定され、かつ該ケーブル把持具１２にケーブルのテンションメンバが、接続連結されている。この主幹線の光ケーブルＡから分岐したテープ心線を心線ａと引き通し心線とに分岐し、該引き落し心線が配線処理ガイドを経由してドロップ用トレイ３に挿入されて、コネクタなどの接続部を介してスプリッタ用トレイ２或いはドロップ用トレイ３に配線接続されて用いられる。さらにスプリッタ用トレイ２或いはドロップ用トレイ３には、テンションメンバ取付部を介して心線導入口の近傍に備えた構造のものを用い、単心線及び引き落しケーブルの保護を容易にするのがよい。
【００４０】
この場合、前記接続用トレイ１、スプリッタ用トレイ２、ドロップ用トレイ３のそれぞれが、光ケーブルＡやドロップケーブルｄに対して図１０に示すように接続されている。即ち、接続用トレイ１のアダプタ６とドロップ用トレイ３のコネクタ接続部３４とに連結するコネクタプラグ２４を端末に備えたパッチ心線ｃによって前記接続用トレイ１とドロップ用トレイ３とをコネクタ接続し、またスプリッタモジュール部８にあるアダプタ９と前記ドロップ用トレイ３のコネクタ接続部３４に連結するコネクタプラグ２４を端末に備えたパッチ心線ｃによって前記スプリッタ用トレイ２とドロップ用トレイ３とをコネクタ接続できるようにしてある。
以上の構成によって、光ケーブルＡの心線ａは、接続用トレイ１においてドロップケーブルｃに接続されて加入者宅へ引き落とされ、スプリッタ用トレイ２においてドロップケーブルｄに接続されて各加入者宅へ引き落とされる。また、ドロップ用トレイ３においてＤＳケーブルＢの心線に接続されて加入者宅へ引き落とされる。なお、ＤＳケーブルＢは引き落とし用の単心線の集合束であって、所定エリアの加入者群へまとめて引き回すための配線ケーブルである。
【００４１】
このように、光ファイバケーブルを加入者宅等に引き落とす際に、トレイ各層が開く構造であると共に、単心に分岐するのに心線導入口の一方側から単心線を入れる場合に、心線余長収納部に収納したときは、他方の心線導入口側に出すことができる。なお、心線導入口の一方側から単心線を入れて心線余長収納部に収納する場合、心線の巻回の仕方によって、両方の心線導入口のいずれの側にも出すこともできる。
以上のように、いずれかの心線導入口から単心線或いはドロップケーブルｄをドロップ用トレイ３内に入れたり出したりすることができ、かつ心線の曲率を小さくすることなく（過負荷を加えることなく）、入口側となった心線導入口と同一の又は異なる心  線導入口を出口側として出すことができる。これにより、心線の出入口側を自由に選んで、光ケーブル用クロージャ内での単心線の配線の便宜を図ることができる。
【００４２】
ここで、心線導入口には、貫通穴が形成されたスポンジゴム等の弾性変形可能な弾性保持部材が設けられ、心線は、この貫通穴を通ってドロップ用トレイ３内に入り、かつドロップ用トレイ３外に出る。このように弾性保持部材を心線導入口に介在させれば、心線が心線導入口を通るときに、心線がトレイ本体に擦れることや、或いは引張衝撃等を確実に防止することができる。
【００４３】
そして、前記スプリッタ用トレイ２やドロップ用トレイ３は、クロージャ本体１０内のトレイ固定ベース５にあるトレイ取付部１３に挿入し順次積み重ねられるようにして実装される。この積み重ねには、トレイ固定収納板１４で固定化し、重なり合う心線接続収納トレイ同士をネジ止め等することなく積層連結することができ、高密度収納構造の光ケーブル接続用クロージャとすることができる。（図１参照）
【００４４】
さらに分離心線使用の場合には、この単心線の心線ａとドロップケーブルｄとを接続後にトレイ収納するが、ドロップ用トレイ３に導入されたテープ心線は弾性保持部材で固定されてＮｏ．１〜４までに分岐され、それぞれのトレイに整理配線されて収納され把持具ベース３２に固定された状態でクロージャ本体１０内に保護されて用いられる。
【００４５】
積み重ねた各スプリッタ用トレイ２や各ドロップ用トレイ３は、それぞれ個別にトレイ取付部１３から前方に旋回可能で、引き回されたトレイの各層を所定の角度で開いて配線でき閉じてから固定化できる構造としてあって、各トレイの出し入れや各層を開閉することによって、トレイ内に収納された心線に損失などの影響が生ずることなく任意のトレイを取り出すことができる。
【００４６】
また、この前記スプリッタ用トレイ２やドロップ用トレイ３を多層トレイとした場合には、Ｎｏ符号の識別番号を順次つけて配線を取扱いやすくしてあり、しかも各トレイは、トレイに内装された際に積層したトレイ間での変形しないように配慮されている。
【００４７】
前記弾性保持部材は心線径或いは心線数に応じた挿通孔のあるものを選んで用いられ、さらに接続部収納部及び心線余長収納部は、必要に応じガイドリブ及び側壁を選んで区画してもよいし、心線の浮きを阻止する心線押え片或いは係止爪を一体成形して余長の心線や心線接続部となるコネクタ接続部をドロップ用トレイ３内に確実に保持できるようにし、各スプリッタ用トレイ２やドロップ用トレイ３毎に心線を分離整理収納し、ケーブル挿入部からファイバ心線の曲げが極少で心線収納時のねじれをも防止でき、安全かつ高密度収納で高信頼性が得られるようにする。
【００４８】
この場合、トレイ固定収納板１４を外して多段に積み重ねられたドロップ用トレイ３の中から所望のドロップ用トレイ３の係止凸部をトレイ取付部１３から外せば、トレイ取付部１３から引き出せ、各トレイ間の重ね合せ面を開くことができて、トレイの内面側を露出されて収納心線の点検、修理、接続の各作業が簡便に行うことができる。
【００４９】
これら実施例で用いられるコネクタ接続を可能にした構成の各トレイ、例えば接続用トレイ１およびスプリッタ用トレイ２或いはドロップ用トレイ３並びにＦＯトレイ４などを位置変換して配線処理できるので、光需要に際して任意のクロージャにて本線から必要な単心線のみを引落としたり、本線に戻したりすることが容易にでき、多心光ファイバテープ心線から光ファイバ単心線に分離して１心線のみ又はそれ以上を選んで引き落しケーブルに接続して、他は引き通し光ファイバ単心線として下部に送り込めるように保有しておくことが可能となる。また接続作業に必要な余長心線は、任意のドロップ心線用トレイ３を開いて、或いは取り出したりして接続部と共に収納しておけ、空いている心線はその後のユーザーの加入など必要な単心線として安全に用いることができる。
【００５０】
また、この実施例で付設されるＦＯトレイ４が、前記フレームにスライドベースを介して摺動自在に備えられるものであって、ＦＯトレイ４を単心分離作業スペースより移動回避させて、単心分離作業時での導線が見やすく配線作業を容易で迅速に処理することができ、また単心線を安全に保護することができるし、各トレイを自由に取付位置可能で心線の引き落しができるので、架空ループ配線にも容易に対応可能であると共に、一旦分岐した心線を再度本線に戻すこともできるなど、単心の分離、保護、収納作業を大幅に向上できる。
【００５１】
さらにこの実施例によれば、接続用トレイ１およびスプリッタ用トレイ２或いはドロップ用トレイ３が、前記トレイ取付部１３に回動自在に設けたトレイ固定収納板１４に階段状にずらせた多重状態下で傾斜保持するように配備されているものであって、該ドロップ用トレイ３も係止片と係止受部とからなる係止部によってトレイ固定収納板１４に固定維持できる構成としたので、クロージャのコンパクト化に寄与し、さらに機能要求に対して必要となる各トレイを簡便に追加増設、撤去できるようにして単心線ごとの接続機能とドロップ機能とを統合して安全に整理することができるし、架空乃至地上ケーブルと、ドロップ光ファイバケーブル或いは集合ドロップ光ファイバケーブルの接続のために有効に用いられ、光ケーブルの接続部を保護して、心線余長を収納し、心線の使用効率を高め単心運用と、作業施工性にも優れた光ケーブル接続用クロージャにすることができる。
【００５２】
さらに、実施形態のトレイ構成では、コネクタ接続を可能にした構成であって、各トレイでのモジュール化を含めたオールコネクタ化により接続作業や心線収納作業並びに接続状況の点検補修などの保守作業が容易に実施できて施工性に優れ、単心線ごとの接続機能とドロップ機能とを統合して整理収納並びに心線ごとの増減も簡単で、増設も楽できわめてコンパクトに接続部を収納することができるなど取扱い簡便な光ケーブル接続用クロージャとすることができる。しかも複数枚重ねられた各トレイは光ケーブルの伝送特性に悪影響を与えることなく光ケーブルの接続や切り替え或いは分岐接続作業や再収集作業が容易に実施でき、心線接続作業後に任意の収納トレイを開いて収納されている光ファイバ心線を迅速に取り出すことができ、心線識別も容易で接続部の再調整や修理など簡単に行うことができ、その作業性を大幅に向上することができる。
【００５３】
また各トレイの組み合わせによれば、パッチ心線ｃを用いることによって心線の分岐、引込の際に接続用トレイ１への心線導出入の自由度があって作業上、心線接続部へのアクセスが簡便化でき、管理や組立分解作業も容易に行なえ、かつ高密度・高信頼性が得られる。  殊に、接続したい空き単心線とドロップ心線とを接続して、残りは現用または空き心線として下部に送り込めるように保有しておくことが可能となるし、また空いている心線はその後のユーザーの加入など必要な単心線として使用することができ、かつ単心に分離した心線の保護をも簡易にすることができ、そのほか他の心線の接続作業や接続状況の点検、補修、確認、調整など作業をも統合してきわめて容易に行うことができる。
【００５４】
さらにまた、この実例ではキャリアチェンジなどにより他機能のトレイに切替え必要とした場合、コネクタ接続およびケーブルシールアダプタを用いることにより、従来の融着接続及びメカニカルスプライス接続時に生じた心線切り縮み、心線余長処理作業をなくし簡便化を図ることができるようにした。
【図面の簡単な説明】
【００５５】
【図１】本発明の実施例の一使用状態を示す縦断面図である。
【図２】図１の例の切断正面図である。
【図３】図１の例で用いられるスリーブを拡開して展開状態の一作業状態を示す縦断面図である。
【図４】図３の例の切断正面図である。
【図５】図１の例で用いられる接続用トレイの平面図である。
【図６】図１の例で用いられるスプリッタ用トレイの平面図である。
【図７】図６の例で用いられるスプリッタ用トレイのスプリッタモジユール部を分離した状態を示し、（ａ）はその平面図、（ｂ）はそのスプリッタモジユール部の係止状態を示す側面図、（ｃ）はスプリッタモジユール部の定着状態を示す側面図である。
【図８】図１の例で用いられるドロップ用トレイの平面図である。
【図９】図１の例で用いられるＦＯトレイの平面図である。
【図１０】図１の例で用いられる心線取り回し配線イメージの一例を示し、スプリッタモジュール部使用時の配線説明図である。
【図１１】図１の例で用いられるスリーブ開放保持具を示し、（ａ）はその正面図、（ｂ）はその側面図である。
【図１２】図１の例で用いられるケーブルシールアダプタを示し、（ａ）はその正面図、（ｂ）はその側面図である。
【符号の説明】
【００５６】
Ａ    光ケーブル
Ｂ    ＤＳケーブル
ａ    心線
ｂ    接続部
ｃ    パッチ心線
ｄ    ドロップケーブル
１    接続用トレイ
２    スプリッタ用トレイ
３    ドロップ用トレイ
４    ＦＯトレイ
５    トレイ固定ベース
６    アダプタ
７    アダプタ取付部
８    スプリッタモジュール部
９    アダプタ
１０    クロージャ本体
１０１    ヒンジ部
１１    端面板
１２    ケーブル把持具
１３    トレイ取付部
１４    トレイ固定収納板
１４１    トレイ受け部
１５    ガイド
１６    把持具ベース
１７    心線導入口
１８    余長収納部
１９    配線リング
２０    コネクタ接続部
２１    取付部
２２    把持具ベース
２３    心線導入口
２４    コネクタプラグ
２５    スリーブ開放保持具
２６    リング
２７    フック
２８    連結片
２９    取付けアーム
３０    心線余長収納部
３１    ガイド
３２    把持具ベース
３３    心線導入口
３４    コネクタ接続部
３５    ケーブルシールアダプタ
３６    スリット
３７    シール片
４０    接続部収納部
４１    心線余長収納部
４２    心線導出部
４３    心線押え片
【図１】
0004455414.tif 000002
【図２】
0004455414.tif 000003
【図３】
0004455414.tif 000004
【図４】
0004455414.tif 000005
【図５】
0004455414.tif 000006
【図６】
0004455414.tif 000007
【図７】
0004455414.tif 000008
【図８】
0004455414.tif 000009
【図９】
0004455414.tif 000010
【図１０】
0004455414.tif 000011
【図１１】
0004455414.tif 000012
【図１２】
0004455414.tif 000013